(57)【要約】【課題】    ずり下げ及びずり上げの動作を行うことなく用便をすることができるパンツを提供する。【解決手段】着用された際に右脚と左脚との間で分断された部分を有し、該分断された部分の両側を脱着自在に連結する連結手段を備えてなる、パンツである。前記分断された部分が、股を覆う股布に形成されるものであってもよい。前記分断された部分の両側が連結されていないとき、前記分断された部分の両側のうち少なくともいずれかの分断縁の近傍を折り返されるように係止する係止手段を備えるものであってもよい。【選択図】  図１
0003107693.tif 000002
【実用新案登録請求の範囲】
【請求項１】
着用された際に右脚と左脚との間で分断された部分を有し、該分断された部分の両側を脱着自在に連結する連結手段を備えてなる、パンツ。
【請求項２】
前記分断された部分が、股を覆う股布に形成されるものである、請求項１に記載のパンツ。
【請求項３】
前記分断された部分の両側が連結されていないとき、前記分断された部分の両側のうち少なくともいずれかの分断縁の近傍を折り返されるように係止する係止手段を備えるものである、請求項１又は２に記載のパンツ。
【請求項４】
前記係止手段は、前記パンツの外面に両端が取り付けられた線状又は帯状の架橋部材であって前記いずれかの分断縁の近傍を該架橋部材と前記パンツの該外面との間に挟持するものである架橋部材によって構成されるものである、請求項３に記載のパンツ。
【請求項５】
前記分断された部分が、前寄りに形成されるものである、請求項１乃至４のいずれか１に記載のパンツ。
【請求項６】
前記分断された部分の両側の一方と他方とが互いに重合する重合部分を有し、該一方の重合部分と該他方の重合部分との間に前記連結手段が配設されるものである、請求項１乃至５のいずれか１に記載のパンツ。
【請求項７】
前記分断された部分が、前寄りに形成されるものであり、
前記一方と前記他方とのうち、着用者身体の前面の比較的下部を覆う前記他方が、該前面の比較的上部を覆う前記一方と、該前面と、の間に挟まれるものである、請求項６に記載のパンツ。
【請求項８】
前記連結手段が、前記分断された部分の両側の一方に対して他方を連結する位置を変更することで股上を調節することができるものである、請求項１乃至７のいずれか１に記載のパンツ。
【考案の詳細な説明】
【技術分野】
【０００１】
本考案は、パンツに関し、より詳細には、下半身に着用する肌着であるパンツに関する。
【背景技術】
【０００２】
パンツは、下半身に着用する肌着として普及しており、その形態等からパンティやブリーフ等と呼ばれることもある。
かかるパンツは、下半身をうまく包み込むことができるので履き心地がよい反面、用便（例えば、男性の大便、女性の大小便）の際には下方（なお、本考案においては、パンツを着用した者が正面を向いて真っ直ぐ起立している場合、該者から見た「前」「後」「右」「左」「上」及び「下」を、「前」「後」「右」「左」「上」及び「下」という。）にずり下げ、用便後には再び上方にずり上げる必要がある。
【０００３】
このようなパンツのずり下げ及びずり上げの動作は、ときに煩雑であったり難儀であったりする。例えば、女性が和服を着ている場合には、和服の帯によって胴体が締め付けられており、パンツの上端部分にうまく手が届かないために該動作がうまく行えないことや、無理矢理パンツの上端部分に手を入れて該動作を行うと着くずれを起こすことがある。
また、身体を自由に動かせない者は、自分自身で該動作を行おうとすると難しく長時間を要したり、自分自身で該動作を行うことができない場合は、他人に該動作を行ってもらう必要があるが、他人も難儀であると共に本人は羞恥心をもつこともある。
【考案の開示】
【考案が解決しようとする課題】
【０００４】
このように用便（例えば、男性の大便、女性の大小便）の際のパンツのずり下げ及びずり上げの動作は、ときとして煩雑であったり難儀であったりするものであり問題があった。
そこで、本考案では、ずり下げ及びずり上げの動作を行うことなく用便をすることができるパンツを提供することを目的とする。
【課題を解決するための手段】
【０００５】
本考案のパンツ（以下、「本パンツ」という。）は、着用された際に右脚と左脚との間で分断された部分を有し、該分断された部分の両側を脱着自在に連結する連結手段を備えてなる、パンツである。
こうすることで用便（例えば、男性の大便、女性の大小便）をする際には、連結手段による該分断された部分の両側の連結を解き、該分断された部分の両側の間に開口を形成する。該分断された部分は着用者の右脚と左脚との間で分断されているので、該分断された部分の両側の間に形成される開口は右脚と左脚との間に連続して形成される。このため右脚と左脚との間に連続して形成される該開口を通じて、用便をすることができる。用便が終わった後、該分断された部分の両側を連結手段によって連結することで、右脚と左脚との間に連続して形成されていた該開口を閉じることができる。即ち、本パンツは、用便をしないときには、該分断された部分の両側を連結手段によって連結しておくことで（該開口は閉じられる。）通常のパンツと同様に使用することができ、用便をする際には連結手段による該分断された部分の両側の連結を解き、右脚と左脚との間に連続する該開口を形成して該開口を経由して用便をすることができる。このように本パンツは、ずり下げ及びずり上げの動作を行うことなく、連結手段による該分断された部分の両側を着脱することで、用便をすることができる。
なお、「連結手段」は、該分断された部分の両側を脱着自在に連結できるものであればいかなるものであってもよく何ら限定されるものではないが、例えば、面ファスナー、ホック、ボタン等を例示することができるが、脱着の容易性や確実性を考慮すれば面ファスナーを用いることが好ましい。
【０００６】
前記分断された部分が、股を覆う股布に形成されるものであってもよい。
パンツは、通常、パンツを着用する者の腹部を覆う前布と、該者の臀部を覆う後布と、該前布と該後布とをつなぎ該者の股を覆う股布と、を有する。着用された際に右脚と左脚との間で分断された部分を、この股を覆う股布に形成することで、用便が排出される部分（即ち、肛門、外尿道口）を、該分断された部分の両側の間に形成される前記開口にうまく位置させることができ、用便をうまくすることができる（例えば、小便や大便が本パンツに付着することをうまく防止しつつ用便することができる。）。
【０００７】
前記分断された部分の両側が連結されていないとき、前記分断された部分の両側のうち少なくともいずれかの分断縁の近傍を折り返されるように係止する係止手段を備えるもの（以下、「係止手段具備本パンツ」という。）であってもよい。
前記分断された部分の両側が連結手段により連結されていないときは、前記分断された部分が下方（通常、便器内部）に垂れ下がることがあり、これによって垂れ下がった部分（特に、前記分断された部分の分断縁の近傍）に大小便や水（便器内部に存する）が付着する問題が生じうる。かかる問題を防止するため、前記分断された部分の両側が連結されていないとき、前記分断された部分が下方に垂れ下がることを防止するために、係止手段により前記分断された部分の両側のうち少なくともいずれかの分断縁の近傍を折り返すように係止してもよい。
【０００８】
係止手段具備本パンツの場合、前記係止手段は、前記パンツの外面に両端が取り付けられた線状又は帯状の架橋部材であって前記いずれかの分断縁の近傍を該架橋部材と前記パンツの該外面との間に挟持するものである架橋部材によって構成されるものであってもよい。
係止手段具備本パンツの係止手段は、前記分断された部分の両側が連結されていないとき、前記分断された部分の両側のうち少なくともいずれかの分断縁の近傍を折り返されるように係止することができればいかなるものであってもよく何ら限定されるものではなく、例えば、面ファスナー、ホック、ボタン等を例示することができるが、前記パンツの外面に両端が取り付けられた線状又は帯状の架橋部材であって前記いずれかの分断縁の近傍を該架橋部材と前記パンツの該外面との間に挟持するものである架橋部材としてもよい。係止手段具備本パンツの係止手段を架橋部材によって構成することで、前記いずれかの分断縁の近傍を該架橋部材と前記パンツの該外面との間に確実に挟持して支持することができ、前記分断された部分が下方（通常、便器内部）に垂れ下がることを確実に防止することができる。なお、線状又は帯状の架橋部材としては、布で形成した紐材、布で形成した帯材、伸縮性を有するゴム紐で形成した紐材、伸縮性を有するゴム紐で形成した帯材等を例示することができるが、とりわけ伸縮性を有するゴム紐を用いたものは、前記いずれかの分断縁の近傍を該架橋部材と前記パンツの該外面との間に一層確実に挟持して支持することができ、前記分断された部分が下方（通常、便器内部）に垂れ下がることを一層確実に防止することができる。
【０００９】
前記分断された部分が、前寄りに形成されるものであってもよい。
こうすることで前記分断された部分が、本パンツ着用者の手の届きやすい前寄りに形成されることから、前記分断された部分の両側を連結させたり解いたりすることを容易かつ確実に行うことができるので、本パンツをうまく使用することができる。
なお、ここにいう「前寄り」とは、本パンツの着用者が真っ直ぐ直立した際、該着用者の股の最下部よりも前側であることをいう。また、このとき前記分断された部分は、連結手段により連結された状態で「前寄り」か否か判断するものとし、前記分断された部分の少なくとも一部が前寄りに形成されていれば、ここにいう「前記分断された部分が、前寄りに形成」されていることを満たす。
【００１０】
前記分断された部分の両側の一方と他方とが互いに重合する重合部分を有し、該一方の重合部分と該他方の重合部分との間に前記連結手段が配設されるもの（以下、「重合本パンツ」という。）であってもよい。
こうすることで該一方の重合部分と該他方の重合部分との間に連結手段が配設されるので連結手段が見えにくくなることから連結手段が本パンツの外観を害することを防止又は減少させることができると共に、該一方と該他方とを重合させた状態で連結するので両者を確実に連結することができる。
【００１１】
重合本パンツの場合、前記分断された部分が、前寄りに形成されるものであり、前記一方と前記他方とのうち、着用者身体の前面の比較的下部を覆う前記他方が、該前面の比較的上部を覆う前記一方と、該前面と、の間に挟まれるものであってもよい。
こうすることで前述した通り、前記分断された部分が、本パンツ着用者の手の届きやすい前寄りに形成されることから、前記分断された部分の両側を連結させたり解いたりすることを容易かつ確実に行うことができる。なお、ここにいう「前寄り」とは、前述と同様、本パンツの着用者が真っ直ぐ直立した際、該着用者の股の最下部よりも前側であることをいう。また、このとき前記分断された部分は、連結手段により連結された状態で「前寄り」か否か判断するものとし、前記分断された部分の少なくとも一部が前寄りに形成されていれば、ここにいう「前記分断された部分が、前寄りに形成」されていることを満たす。
そして、着用者身体の前面の比較的下部を覆う前記他方が、該前面の比較的上部を覆う前記一方と、該前面と、の間に挟まれるので、前記他方と前記一方とのつなぎ目（前記一方の分断縁を含む。）が、逆の場合（前記一方が前記他方と該前面との間に挟まれる場合。このときは前記他方と前記一方とのつなぎ目は前記他方の分断縁を含む。）に比して下方に位置することになり、このつなぎ目が目立ちにくくなることから、該つなぎ目により本パンツの外観が害されることを防止又は減少させることができる。なお、ここにいう比較的下部と比較的上部とは、前者（比較的下部）と後者（比較的上部）とを比較したとき前者が後者よりも下の部分であり、そして後者が前者よりも上の部分であることをいう。
【００１２】
前記連結手段が、前記分断された部分の両側の一方に対して他方を連結する位置を変更することで股上を調節することができるものであってもよい。
こうすることで本パンツの着用者の体型に合わせて股上を調節することができるので、本パンツの着心地を向上させることができる。
【考案を実施するための最良の形態】
【００１３】
本考案の実施の形態を図面を参照して詳述するが、本考案はこれに限定されるものではない。
【００１４】
図１は、一例の本考案のパンツ（本パンツ）１１を示す正面図であり、図２は、本パンツ１１を示す背面図であり、図３は図１のＡーＡ端面図であり、そして図４は本パンツ１１の右側面図（図１及び図２中、矢印Ｃ方向から見たところを示している。なお、図４は「右」側面図であるが、本考案にいう「左」方向から見たものである。後述の図５及び図６も同様である。）である。図１乃至図４を参照して、本パンツ１１について説明する。なお、図１乃至図４においては、本パンツ１１は着用者１０１（真っ直ぐ直立している。）に着用されているところを示しているが、理解を容易にするため着用者１０１を点線により示し（図３を除く）、実際には着用者１０１の身体により隠れて見えない本パンツ１１の部分も実線によって示している。
本パンツ１１は、大まかには、着用者１０１の腹部１０３を覆う前布１３と、着用者１０１の臀部１０５を覆う後布１５と、前布１３と後布１５とをつなぎ着用者１０１の股１０７を覆う股布１７と、本パンツ１１の外面１１ａに両端が取り付けられた帯状の架橋部材１９と、を備えてなる。
なお、図中、「前」「後」「右」「左」「上」及び「下」を、それぞれ矢印Ｋｆ、Ｋｂ、Ｋｒ、Ｋｌ、Ｋｕ及びＫｄにて示す。
【００１５】
股布１７は、ここでは真っ直ぐに直立した着用者１０１の右脚１０９ａが本パンツ１１から突出する部分の最も高い位置Ｐ１と、左脚１０９ｂが本パンツ１１から突出する部分の最も高い位置Ｐ２と、の両点Ｐ１、Ｐ２を含む水平面Ｆよりも下方に存する本パンツ１１の部分をいい、右脚１０９ａと左脚１０９ｂとの間で分断された部分を有している（特に、図１、図３及び図４を参照されたい。なお、図３中では、分断された部分を矢印Ｒにて示している。）。かかる分断された部分により、股布１７は、前布１３に連なる第１股布１７ａと、後布１５に連なる第２股布１７ｂと、に分割されている。
第１股布１７ａと第２股布１７ｂとは、互いに重合する重合部分（図３中、矢印Ｂにて示した範囲に属する部分）を有しており、第１股布１７ａの重合部分と第２股布１７ｂの重合部分との間に面ファスナー１８ａ、１８ｂが配設されている。具体的には、第１股布１７ａの重合部分には面ファスナー１８ａが貼着されると共に、第２股布１７ｂの重合部分には面ファスナー１８ｂが貼着されており、面ファスナー１８ａと面ファスナー１８ｂとは互いに係合可能でありまた係合を解くことを自由に行うことができる（脱着自在）。
【００１６】
帯状の架橋部材１９は、ここでは帯状のゴム紐によって形成されており、架橋部材１９の両端は、第２股布１７ｂに縫いつけられている。そして、本パンツ１１が所定の着用者１０１に着用された状態において、架橋部材１９はたるみがなくやや引きのばされた状態になるような長さにされている。
【００１７】
このような本パンツ１１は、面ファスナー１８ａと面ファスナー１８ｂとを互いに係合させた状態で図１乃至図４に示したように通常のパンツ（従来のパンツ）と同様に着用することができる。
そして、着用者１０１が用便をする際には、面ファスナー１８ａと面ファスナー１８ｂとの係合を解き（第１股布１７ａの重合部分を、第２股布１７ｂの重合部分から引き離すように力を加えればよい。）、第１股布１７ａと第２股布１７ｂとの間に図５（図４と同じ位置から見たところを示している。）に示すように開口３１を形成する。
【００１８】
このときこれまで着用者１０１の股１０７を覆っていた第２股布１７ｂは、図５に示すように下方に垂れ下がった状態となり、このまま用便をするためしゃがむと便器（図示せず）やその内部に存する水や大小便にこの垂れ下がった部分が接触することがある（この接触は該垂れ下がった部分を汚す可能性があるので衛生面から好ましくない。）。これを防止するため図６（図４及び図５と同じ位置から見たところを示している。）に示すよう、架橋部材１９と本パンツ１１の外面１１ａとの間に、第２股布１７ｂの分断縁１７ｂｃの近傍を差し込むことで、ゴム紐たる架橋部材１９の締め付け力によって第２股布１７ｂ（第２股布１７ｂの分断縁１７ｂｃの近傍部分）がうまく係止されている。即ち、本パンツ１１は、第１股布１７ａと第２股布１７ｂとの間に開口３１を形成した状態において、第２股布１７ｂの分断縁１７ｂｃの近傍を折り返すように係止する帯状の架橋部材１９を有している（特に、図６を参照されたい。）。帯状の架橋部材１９は、第２股布１７ｂの分断縁１７ｂｃの近傍を架橋部材１９と本パンツ１１の外面１１ａとの間に挟持している。
【００１９】
この後、着用者１０１は、通常の用便時と同様、便器（図示せず）にしゃがみこみ用便をする（前述の通り、第２股布１７ｂの分断縁１７ｂｃの近傍が架橋部材１９により折り返されるように係止されているので、便器（図示せず）やその内部に存する水や大小便に分断縁１７ｂｃの近傍が接触することを防止することで本パンツ１１の使用を衛生的かつ容易ならしめている。）。上述のようにして形成された開口３１は、右脚１０９ａと左脚１０９ｂとの間に連続して形成されているので、開口３１を通じて着用者１０１は用便をすることができる。
用便が終わった後、第２股布１７ｂを元の位置に戻し（架橋部材１９と本パンツ１１の外面１１ａとの間から第２股布１７ｂの分断縁１７ｂｃの近傍を抜き取り（図５の状態に戻す）、第２股布１７ｂの分断縁１７ｂｃを前方の第１股布１７ａ方向に戻し、第２股布１７ｂが股１０７を覆うようにする。）、面ファスナー１８ａと面ファスナー１８ｂとを互いに係合させることで開口３１を閉じることができる。このように本パンツ１１は、ずり下げ及びずり上げの動作を行うことなく、面ファスナー１８ａと面ファスナー１８ｂとの係合を解き、第１股布１７ａと第２股布１７ｂとの間に開口３１を形成することで、着用者１０１は用便することができる。
【００２０】
以上説明したように、本パンツ１１は、着用された際に右脚１０９ａと左脚１０９ｂとの間で分断された部分（ここでは第１股布１７ａと第２股布１７ｂとの間）を有し、該分断された部分の両側（第１股布１７ａと第２股布１７ｂ）を脱着自在に連結する連結手段たる面ファスナー１８ａ、１８ｂを備えてなる、パンツである。
そして、本パンツ１１においては、前記分断された部分が、股を覆う股布（第１股布１７ａと第２股布１７ｂとによって形成される股布１７）に形成されている。
【００２１】
さらに、本パンツ１１は、前記分断された部分の両側（第１股布１７ａと第２股布１７ｂ）が連結されていないとき、前記分断された部分の両側（第１股布１７ａと第２股布１７ｂ）のうち少なくともいずれか（ここでは第２股布１７ｂ）の分断縁１７ｂｃの近傍を折り返されるように係止する係止手段たる架橋部材１９を備える。
そして、ここでは前記係止手段は、本パンツ１１の外面１１ａに両端が取り付けられた線状又は帯状の架橋部材１９であって前記いずれか（ここでは第２股布１７ｂ）の分断縁１７ｂｃの近傍を架橋部材１９と本パンツ１１の外面１１ａとの間に挟持するものである架橋部材１９によって構成されるものである。
【００２２】
また、本パンツ１１においては、前記分断された部分（ここでは第１股布１７ａと第２股布１７ｂとの間）が、前寄りに形成されている。即ち、前記分断された部分（ここでは第１股布１７ａと第２股布１７ｂとの間）は、連結手段たる面ファスナー１８ａ、１８ｂにより連結された状態（図１、図２、図４）において、本パンツ１１の着用者１０１が真っ直ぐ直立した際（図１乃至図６のいずれもこの状態を示している。）、着用者１０１の股の最下部（図１、図２、図４及び図５中、点Ｑとして示した。）よりも前側である。なお、ここでは前記分断された部分（ここでは第１股布１７ａと第２股布１７ｂとの間）の全部が前寄りに形成されている。
【００２３】
そして、本パンツ１１においては、前記分断された部分（ここでは第１股布１７ａと第２股布１７ｂとの間）の両側（第１股布１７ａと第２股布１７ｂ）の一方（第１股布１７ａ）と他方（第２股布１７ｂ）とが互いに重合する重合部分（図３中、矢印Ｂにて示した範囲に属する部分）を有しており、一方（第１股布１７ａ）の重合部分と他方（第２股布１７ｂ）の重合部分との間に連結手段たる面ファスナー１８ａ、１８ｂが配設されている。
加えて、前記分断された部分（ここでは第１股布１７ａと第２股布１７ｂとの間）が、前述の通り、前寄りに形成されるものであり、かつ前記一方（第１股布１７ａ）と前記他方（第２股布１７ｂ）とのうち、着用者１０１の身体の前面（即ち、下腹部の表面。図３において、下腹部１３１の表面１３１ａ）の比較的下部を覆う前記他方（第２股布１７ｂ）が、該前面（図３中、下腹部１３１の表面１３１ａ）の比較的上部を覆う前記一方（第１股布１７ａ）と、該前面（図３中、下腹部１３１の表面１３１ａ）と、の間に挟まれる。
最後に、前記連結手段たる面ファスナー１８ａ、１８ｂが、前記分断された部分（第１股布１７ａと第２股布１７ｂとの間）の両側の一方に対して他方を連結する位置を変更することで股上を調節することができる（例えば、図３において、第１股布１７ａ（一方）に対して第２股布１７ｂ（他方）を連結する位置を矢印Ｄに沿った方向に所定範囲内で変更することで股上を調節することができる。）。
【００２４】
以上説明したように、本パンツ１１は、用便（例えば、男性の大便、女性の大小便）の際のパンツのずり下げ及びずり上げの動作を行うことなく用便をすることができるものであり、和服を着用して用便する場合の下着として、身体を自由に動かせない者が自分で用便する場合の下着として、そして被介護者が介護者の助けをかりて用便する場合の下着として、極めて便利である。また、女性の生理の処理を行う場合もこれと同様である。
【図面の簡単な説明】
【００２５】
【図１】一例の本考案のパンツ（本パンツ）を示す正面図である。
【図２】図１に示した本パンツを示す背面図である。
【図３】図１のＡーＡ端面図である。
【図４】図１に示した本パンツの右側面図である。
【図５】面ファスナーの係合を解き、第１股布と第２股布との間に開口を形成したところを示す本パンツの右側面図である。
【図６】架橋部材と本パンツの外面との間に、第２股布の分断縁の近傍を差し込んだところを示す本パンツの右側面図である。
【符号の説明】
【００２６】
１１            本パンツ
１１ａ          外面
１３            前布
１５            後布
１７            股布
１７ａ          第１股布
１７ｂ          第２股布
１７ｂｃ        分断縁
１８ａ、１８ｂ  面ファスナー
１９            架橋部材
３１            開口
１０１            着用者
１０３            腹部
１０５            臀部
１０７            股
１０９ａ          右脚
１０９ｂ          左脚
１３１            下腹部
１３１ａ          表面
【図１】
0003107693.tif 000003
【図２】
0003107693.tif 000004
【図３】
0003107693.tif 000005
【図４】
0003107693.tif 000006
【図５】
0003107693.tif 000007
【図６】
0003107693.tif 000008